(57)【要約】      （修正有）【課題】電子製品の充電口に挿接されて充電口に対して防塵機能を実現する充電口防塵蓋を提供する。【解決手段】充電口内に充電端子が設けられる。充電口防塵蓋１００はプラグ１０、金属接続ピース２０、導電部品６０および蓋体５０を含む。金属接続ピース２０の一端はプラグ１０内に伸び、金属接続ピース２０の他端は導電部品６０に電気的に接続される。導電部品６０はプラグ１０と蓋体５０との間に位置決められ、蓋体５０とプラグ１０とは固定される。プラグ１０は充電口に挿入され、金属接続ピース２０はそれぞれ充電端子に接触し、このようにして、導電部品６０と充電端子とを電気的に接続させ、蓋体５０は充電口をカバーする。消費者は充電口防塵蓋１００を引き抜かなくても電子製品に対する充電を実現することができ、操作は簡単、便利であり、消費者の使用に便利である。【選択図】図２
0003193628.tif 000002
【実用新案登録請求の範囲】
【請求項１】
電子製品の充電口に挿接されて前記充電口に対して防塵機能を実現し、前記充電口内に充電端子が設けられる充電口防塵蓋であって、
前記充電口防塵蓋はプラグ、金属接続ピース、導電部品および蓋体を含み、前記金属接続ピースの一端は前記プラグ内に伸び、前記金属接続ピースの他端は前記導電部品に電気的に接続され、前記導電部品は前記プラグと前記蓋体との間に位置決められ、前記蓋体と前記プラグとは固定され、前記プラグは前記充電口に挿入され、前記金属接続ピースはそれぞれ前記充電端子に接触し、前記導電部品と前記充電端子とを電気的に接続させ、前記蓋体は前記充電口をカバーすることを特徴とする充電口防塵蓋。
【請求項２】
前記充電口防塵蓋は前記プラグと前記蓋体との間に設けられる回路板をさらに含み、前記プラグの一端に一対の位置決め部が設けられ、前記位置決め部の間に位置決め溝が形成され、前記回路板は前記位置決め溝内に位置決められ、前記金属接続ピースの他端は前記回路板に挿入されて前記回路板に電気的に接続され、前記導電部品は一対の導電端子を含み、前記導電端子はそれぞれ前記回路板に電気的に接続され、前記位置決め部と前記蓋体との間に位置決めされて前記蓋体に露出することを特徴とする請求項１に記載の充電口防塵蓋。
【請求項３】
各前記位置決め部には位置決め孔が設けられ、各前記導電端子は接続部、位置決め柱および導電接点を含み、前記位置決め柱および前記導電接点はそれぞれ前記接続部の両側から反対方向に延伸して形成し、前記位置決め柱は前記プラグの位置決め孔に挿入され、前記接続部は前記回路板に接触して前記回路板に電気的に接続され、前記導電接点は前記蓋体に露出して前記蓋体と固定することを特徴とする請求項２に記載の充電口防塵蓋。
【請求項４】
前記蓋体の前記プラグに近づく一側に凹溝が設けられ、前記蓋体にはそれぞれ前記凹溝につながる一対のスルーホールが設けられ、前記凹溝内に対向して設置される一対の突起が設けられ、前記プラグの位置決め部は前記凹溝内に収納され、前記回路板は前記突起の間に止められ、前記導電接点はそれぞれ前記スルーホール内に伸びることを特徴とする請求項３に記載の充電口防塵蓋。
【請求項５】
前記金属接続ピースは銅針であることを特徴とする請求項１に記載の充電口防塵蓋。
【請求項６】
前記蓋体は四角形であることを特徴とする請求項１に記載の充電口防塵蓋。
【請求項７】
前記電子製品内に無線充電モジュールが設けられ、前記導電部品は軟性回路板であり、前記軟性回路板の一端は前記蓋体と前記プラグとの間に位置して前記金属接続ピースに電気的に接続され、前記軟性回路板の他端は前記無線充電モジュールに電気的に接続されることを特徴とする請求項１に記載の充電口防塵蓋。
【請求項８】
充電台であって、
前記充電台に収納溝が設けられ、前記収納溝内に一対の金属充電柱が突設されることを特徴とする充電台。
【請求項９】
前記収納溝は四角形であることを特徴とする請求項８に記載の充電台。
【請求項１０】
前記収納溝の両側にそれぞれ止め板および止めブロックが設けられることを特徴とする請求項８に記載の充電台。
【考案の詳細な説明】
【技術分野】
【０００１】
本考案は電子製品に関し、特に、電子製品の充電口防塵蓋および充電台に関する。
【背景技術】
【０００２】
今、ほとんどの電子製品、例えば、携帯電話、タブレット型コンピューター等は、いずれも外接する充電口を設けて、電子製品に対する充電を実現する。充電データ線のプラグを充電口に直接挿入することを便利にさせるために、ほとんどの電子製品の充電口はいずれも開放式構造を用い、充電口を電子製品の外表面に露出させる。しかしながら、充電口を電子製品の外表面に露出すると、灰塵、汚物等の混ざり物は前記充電口内に侵入しやすく、電子製品の充電性能に影響を与える。
【０００３】
従来の技術では、通常、電子製品の充電口に防塵蓋が設けられて灰塵等の混ざり物が前記電子製品の充電口に侵入することを防止する。しかしながら、消費者は電子製品に対して充電する時に、防塵蓋を抜く必要があり、充電が終止した後、防塵蓋を充電口に挿入し、操作は面倒であり、消費者の使用に対して不便を招く。
【考案の概要】
【考案が解決しようとする課題】
【０００４】
本考案の目的は、灰塵等の混ざり物が電子製品の充電口に侵入することを防止できるだけでなく、消費者は前記充電口防塵蓋を引き抜かなくても前記電子製品に対する充電を実現でき、操作が簡単、便利であり、消費者の使用に便利である充電口防塵蓋および充電台を提供することにある。
【課題を解決するための手段】
【０００５】
本考案の実施形態が提供する充電口防塵蓋は、電子製品の充電口に挿接されて前記充電口に対して防塵機能を実現する。前記充電口内に充電端子が設けられる。前記充電口防塵蓋はプラグ、金属接続ピース、導電部品および蓋体を含む。前記金属接続ピースの一端は前記プラグ内に伸び、前記金属接続ピースの他端は前記導電部品に電気的に接続される。前記導電部品は前記プラグと前記蓋体との間に位置決められ、前記蓋体と前記プラグとは固定される。前記プラグは前記充電口に挿入され、前記金属接続ピースはそれぞれ前記充電端子に接触し、このようにして、前記導電部品と前記充電端子とを電気的に接続させ、前記蓋体は前記充電口をカバーする。
【０００６】
好ましくは、前記充電口防塵蓋は前記プラグと前記蓋体との間に設けられる回路板をさらに含む。前記プラグの一端に一対の位置決め部が設けられ、前記位置決め部の間に位置決め溝が形成される。前記回路板は前記位置決め溝内に位置決められる。前記金属接続ピースの他端は前記回路板に挿入されて前記回路板に電気的に接続される。前記導電部品は一対の導電端子を含み、前記導電端子はそれぞれ前記回路板に電気的に接続され、前記位置決め部と前記蓋体との間に位置決めされて前記蓋体に露出する。
【０００７】
好ましくは、各前記位置決め部には位置決め孔が設けられ、各前記導電端子は接続部、位置決め柱および導電接点を含み、前記位置決め柱および前記導電接点はそれぞれ前記接続部の両側から反対方向に延伸して形成する。前記位置決め柱は前記プラグの位置決め孔に挿入され、前記接続部は前記回路板に接触して前記回路板に電気的に接続され、前記導電接点は前記蓋体に露出して前記蓋体と固定する。
【０００８】
好ましくは、前記蓋体の前記プラグに近づく一側に凹溝が設けられ、前記蓋体にはそれぞれ前記凹溝につながる一対のスルーホールが設けられ、前記凹溝内に対向して設置される一対の突起が設けられる。前記プラグの位置決め部は前記凹溝内に収納され、前記回路板は前記突起の間に止められ、前記導電接点はそれぞれ前記スルーホール内に伸びる。
【０００９】
好ましくは、前記金属接続ピースは銅針である。
【００１０】
好ましくは、前記蓋体は四角形である。
【００１１】
好ましくは、前記電子製品内に無線充電モジュールが設けられ、前記導電部品は軟性回路板であり、前記軟性回路板の一端は前記蓋体と前記プラグとの間に位置決められて前記金属接続ピースに電気的に接続され、前記軟性回路板の他端は前記無線充電モジュールに電気的に接続される。
【００１２】
本考案の実施形態が提供する充電台に収納溝が設けられ、前記収納溝内に一対の金属充電柱が突設される。
【００１３】
好ましくは、前記収納溝は四角形である。
好ましくは、前記収納溝の両側にそれぞれ止め板および止めブロックが設けられる。
【考案の効果】
【００１４】
これによって、本考案が提供する充電口防塵蓋は、電子製品充電口の充電端子を充電口防塵蓋の導電部品に接続させることによって、消費者が前記電子製品に対して充電するときに、前記充電口防塵蓋を引き抜かなくても前記電子製品に対する充電を実現することができ、操作は簡単、便利であり、消費者の使用に便利である。
【図面の簡単な説明】
【００１５】
本考案の技術方案をさらに清楚に説明するために、以下、実施形態に用いられる図面を簡単に説明し、明らかに、以下に記載の図面はただ本考案のある実施形態であり、当業者にとって、創造性労働を経ることなく、これらの図面に基づいてその他の図面を取得することができる。
【図１】本考案の１つの具体的な実施形態が提供する充電口防塵蓋の立体構造を示す図である。
【図２】図１の充電口防塵蓋の分解図である。
【図３】図１の充電口防塵蓋の他の方向の分解図である。
【図４】本考案が提供する充電台を示す図である。
【図５】本考案の他の実施形態が提供する充電口防塵蓋の一部の分解図である。
【図６】図５の充電口防塵蓋の他の方向の一部分解図である。
【考案を実施するための形態】
【００１６】
以下、本考案の実施形態の図面を参照しながら、本考案の実施形態の技術方案を詳細に説明する。
【００１７】
図１、図２および図３を同時に参照されたい。本考案が提供する充電口防塵蓋１００は電子製品の充電口に挿接されて前記充電口に対して防塵機能を実現する。前記充電口内に充電端子が設けられる。前記充電端子は前記電子製品に対する充電を実現する。
【００１８】
前記充電口防塵蓋１００はプラグ１０、金属接続ピース２０、導電部品６０および蓋体５０を含む。前記金属接続ピース２０の一端は前記プラグ１０内に伸び、前記金属接続ピース２０の他端は前記導電部品６０に電気的に接続される。前記導電部品６０は前記プラグ１０と前記蓋体５０との間に位置決められる。前記蓋体５０と前記プラグ１０とは固定される。使用される時に、前記プラグ１０は前記充電口に挿入され、前記金属接続ピース２０は前記充電端子に接触し、このようにして、前記導電部品６０と前記充電端子とを電気的に接続させる。前記蓋体５０は前記充電口をカバーして灰塵等の混ざり物が前記電子製品の充電口に侵入することを防止する。
【００１９】
言い換えれば、本考案が提供する充電口防塵蓋１００は電子製品の充電口内の充電端子を充電口防塵蓋１００の金属接続ピース２０を介して充電口防塵蓋１００の導電部品６０に接続させる。電子製品に対して充電する時に、前記充電口防塵蓋１００を引き抜かなくても、電子製品１００に対する充電を実現できる。
【００２０】
本実施形態では、前記プラグ１０の一端に一対の位置決め部１１が設けられ、前記位置決め部１１の間に位置決め溝１３が形成される。前記金属接続ピース２０の他端は前記位置決め溝１３に露出する。また、前記充電口防塵蓋１００は回路板３０を含み、前記回路板３０は前記位置決め溝１３内に位置決められる。前記金属接続ピース２０の他端は前記回路板３０に挿入されて前記回路板３０に電気的に接続される。前記導電部品６０は一対の導電端子４０を含み、前記導電端子４０はそれぞれ前記回路板３０に電気的に接続され、前記位置決め部１１と前記蓋体５０との間に位置決めされて前記蓋体５０に露出する。
【００２１】
さらに、各前記位置決め部１１には位置決め孔１２が設けられる。各前記導電端子４０は接続部４１、位置決め柱４２および導電接点４３を含む。前記位置決め柱４２および前記導電接点４３はそれぞれ前記接続部４１の両側から反対方向に延伸して形成する。装着される時に、前記位置決め柱４２は前記プラグ１０の位置決め孔１２に挿入され、前記接続部４１は前記回路板３０に接触して前記回路板３０に電気的に接続される。前記導電接点４３は前記蓋体５０に露出する。
【００２２】
本実施形態では、図３に示すように、前記蓋体５０の前記プラグ１０に近づく一側に凹溝５１が設けられ、前記凹溝５１内に対向して設置される一対の突起５２が設けられる。前記蓋体５０にはそれぞれ前記凹溝５１につながる一対のスルーホール５３が設けられる。装着される時に、前記プラグ１０の位置決め部１１は前記凹溝５１内に収納され、前記回路板３０は前記突起５２の間に止められ、前記導電接点４３はそれぞれ前記スルーホール５３内に伸びる。
【００２３】
図４に示すのは、本考案が提供する充電口防塵蓋１００に対応する充電台２００である。前記充電台２００に収納溝２０１が設けられ、前記収納溝２０１内に一対の金属充電柱２０２が突設される。
【００２４】
言い換えれば、本実施形態における充電口防塵蓋１００は電子製品充電口内の充電端子を充電口防塵蓋１００の蓋体５０の外表面に接続させる。消費者は充電する時に、電子製品の前記充電口防塵蓋１００の蓋体５０を相応の前記充電台２００の収納溝２０１内に収納させ、前記充電口防塵蓋１００の蓋体５０に露出する導電端子４０はそれぞれ前記金属充電柱２０２に接触し、電子製品に対して充電を実現する。
【００２５】
本実施形態では、前記充電台２００の収納溝２０１の両側にそれぞれ止め板２０３および止めブロック２０４が設けられる。前記止め板２０３および前記止めブロック２０４は、前記電子製品が充電される時の傾斜を防止し、充電口防塵蓋１００の導電接点４３と充電台２００の金属充電柱２０２との安定な接触を保証する。
【００２６】
本実施形態では、金属接続ピース２０は銅針であり、高速刺入の方式によりプラグ１０内に注入される。
【００２７】
本実施形態では、前記蓋体５０は四角形であり、相応的に、前記充電台２００の収納溝２０１は四角形である。
【００２８】
図５および図６は本考案の他の実施形態が提供する充電口防塵蓋１００’を示す図である。本実施形態が提供する充電口防塵蓋１００’の構造は上述した充電口防塵蓋１００の構造とほぼ同一であるが、異なる点は、本実施形態では、前記電子製品内に無線充電モジュール７０が設けられることにある。前記導電部品６０’は軟性回路板であり、前記軟性回路板の一端は前記蓋体５０’と前記プラグ１０’との間に位置決められて金属接続ピース２０’に電気的に接続され、前記軟性回路板６０’の他端は前記無線充電モジュール７０に電気的に接続される。
【００２９】
本実施形態では、前記蓋体５０’の凹溝５１’内に位置決め柱４２’が設けられる。装着される時に、プラグ１０’の位置決め部１１’は前記蓋体５０’の凹溝５１’に位置決められ、前記位置決め柱４２’は前記プラグ１０’の位置決め部１１’の位置決め孔１２’内に挿入されて前記蓋体５０’を前記プラグ１０’に位置決め、このようにして、前記軟性回路板６０’の一端を前記プラグ１０’と前記蓋体５０’との間に固定させる。
【００３０】
言い換えれば、本実施形態における充電口防塵蓋１００’は電子製品充電口内の導電端子を電子製品内の無線充電モジュール７０に接続させ、消費者は電子製品に対して充電するときに、前記充電口防塵蓋１００’を引き抜かなくても、前記電子製品に対して無線充電を直接に行い、消費者の使用に便利である。
【００３１】
これによって、本考案が提供する充電口防塵蓋１００、１００’は電子製品充電口内の充電端子を充電口防塵蓋１００、１００’の導電部品６０、６０’に接続させることによって、充電口防塵蓋１００、１００’を電子製品の充電口に直接挿接させ、灰塵等の混ざり物が前記充電口に侵入することを防止することができるだけでなく、消費者が前記電子製品に対して充電するときに、前記充電口防塵蓋１００、１００’を引き抜かなくても前記電子製品に対する充電を実現することができ、操作は簡単、便利であり、消費者の使用に便利である。
【００３２】
前記は本考案の好適な実施形態であり、当業者にとって、本考案の原理から逸脱することなく、その他の様々な改良と修飾を作成でき、これらの改良と修飾は本考案の保護範囲に含まれる。
【図１】
0003193628.tif 000003
【図２】
0003193628.tif 000004
【図３】
0003193628.tif 000005
【図４】
0003193628.tif 000006
【図５】
0003193628.tif 000007
【図６】
0003193628.tif 000008
【手続補正書】
【提出日】平成26年8月7日(2014.8.7)
【手続補正１】
【補正対象書類名】実用新案登録請求の範囲
【補正対象項目名】全文
【補正方法】変更
【補正の内容】
【実用新案登録請求の範囲】
【請求項１】
電子製品の充電口に挿接されて前記充電口に対して防塵機能を実現し、前記充電口内に充電端子が設けられる充電口防塵蓋であって、
前記充電口防塵蓋はプラグ、金属接続ピース、導電部品および蓋体を含み、前記金属接続ピースの一端は前記プラグ内に伸び、前記金属接続ピースの他端は前記導電部品に電気的に接続され、前記導電部品は前記プラグと前記蓋体との間に位置決められ、前記蓋体と前記プラグとは固定され、前記プラグは前記充電口に挿入され、前記金属接続ピースはそれぞれ前記充電端子に接触し、前記導電部品と前記充電端子とを電気的に接続させ、前記蓋体は前記充電口をカバーすることを特徴とする充電口防塵蓋。
【請求項２】
前記充電口防塵蓋は前記プラグと前記蓋体との間に設けられる回路板をさらに含み、前記プラグの一端に一対の位置決め部が設けられ、前記位置決め部の間に位置決め溝が形成され、前記回路板は前記位置決め溝内に位置決められ、前記金属接続ピースの他端は前記回路板に挿入されて前記回路板に電気的に接続され、前記導電部品は一対の導電端子を含み、前記導電端子はそれぞれ前記回路板に電気的に接続され、前記位置決め部と前記蓋体との間に位置決めされて前記蓋体に露出することを特徴とする請求項１に記載の充電口防塵蓋。
【請求項３】
各前記位置決め部には位置決め孔が設けられ、各前記導電端子は接続部、位置決め柱および導電接点を含み、前記位置決め柱および前記導電接点はそれぞれ前記接続部の両側から反対方向に延伸して形成し、前記位置決め柱は前記プラグの位置決め孔に挿入され、前記接続部は前記回路板に接触して前記回路板に電気的に接続され、前記導電接点は前記蓋体に露出して前記蓋体と固定することを特徴とする請求項２に記載の充電口防塵蓋。
【請求項４】
前記蓋体の前記プラグに近づく一側に凹溝が設けられ、前記蓋体にはそれぞれ前記凹溝につながる一対のスルーホールが設けられ、前記凹溝内に対向して設置される一対の突起が設けられ、前記プラグの位置決め部は前記凹溝内に収納され、前記回路板は前記突起の間に止められ、前記導電接点はそれぞれ前記スルーホール内に伸びることを特徴とする請求項３に記載の充電口防塵蓋。
【請求項５】
前記金属接続ピースは銅針であることを特徴とする請求項１に記載の充電口防塵蓋。
【請求項６】
前記蓋体は四角形であることを特徴とする請求項１に記載の充電口防塵蓋。
【請求項７】
前記電子製品内に無線充電モジュールが設けられ、前記導電部品は軟性回路板であり、前記軟性回路板の一端は前記蓋体と前記プラグとの間に位置して前記金属接続ピースに電気的に接続され、前記軟性回路板の他端は前記無線充電モジュールに電気的に接続されることを特徴とする請求項１に記載の充電口防塵蓋。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】